(57)【要約】      （修正有）【課題】稼働中の設備の異常の原因を、精度良く特定可能な、設備の異常診断装置及び異常診断方法を提供する。【解決手段】正常時の時系列波形データ、想定される複数の異常原因の各々に対応する複数の異常時の時系列波形データ、及び設備１に設けられたセンサ１１により取得された診断対象の時系列波形データの各々に対し、診断の指標となる診断パラメータの値を計算する診断パラメータ計算部１４と、複数の異常原因の各々に対し、異常原因に相関する複数の診断パラメータの組み合わせを選択し、組み合わせられた診断パラメータによる異常原因の代表評価値を決定する診断パラメータ組み合わせ選択部１６と、複数の異常原因の各々に対し、異常原因に相関する複数の診断パラメータの組み合わせによる診断対象の時系列波形データの代表評価値を計算し、異常原因の代表評価値と比較して、異常原因を特定する異常原因特定部１７と、を備える。【選択図】図１
2020008337.tif 000002
【特許請求の範囲】
【請求項１】
設備に設けられたセンサにより取得された時系列波形データを基に、前記設備の異常を診断する、設備の異常診断装置であって、
正常時の時系列波形データ、想定される複数の異常原因の各々に対応する複数の異常時の時系列波形データ、及び診断対象の時系列波形データの各々に対し、診断の指標となる診断パラメータ群の中の各診断パラメータの値を計算する、診断パラメータ計算部と、
前記複数の異常原因の各々に対し、前記診断パラメータ計算部の計算結果を基に、当該異常原因に相関する複数の診断パラメータの組み合わせを選択し、当該組み合わせられた診断パラメータによる当該異常原因の代表評価値を決定する、診断パラメータ組み合わせ選択部と、
前記複数の異常原因の各々に対し、当該異常原因に相関する前記複数の診断パラメータの前記組み合わせによる前記診断対象の時系列波形データの代表評価値を計算し、当該代表評価値を、当該異常原因の前記代表評価値と比較して、前記異常原因を特定する、異常原因特定部と、
を備えている、設備の異常診断装置。
【請求項２】
前記診断パラメータ計算部は、複数の前記正常時の時系列波形データに対し、各診断パラメータの前記値を計算し、
前記診断パラメータ組み合わせ選択部は、前記複数の異常原因の各々に対し、複数の診断パラメータの様々な組み合わせの中から、各組み合わせにおける、各診断パラメータの前記値を基にした前記複数の正常時の時系列波形データの分布と、当該異常原因に対応する前記異常時の時系列波形データの各診断パラメータの前記値との関係を基に、当該異常原因に相関する前記複数の診断パラメータの前記組み合わせを選択する、請求項１に記載の設備の異常診断装置。
【請求項３】
前記診断パラメータ組み合わせ選択部は、前記複数の異常原因の各々に対し、前記複数の診断パラメータの前記組み合わせの中で、前記分布の中心と、当該異常原因の前記代表評価値との距離が最も大きい前記組み合わせを、当該異常原因に相関する複数の診断パラメータの前記組み合わせとして選択する、請求項２に記載の設備の異常診断装置。
【請求項４】
前記診断パラメータ組み合わせ選択部は、主成分分析により、前記複数の診断パラメータの各組み合わせにおける、前記分布を演算する、請求項２または３に記載の設備の異常診断装置。
【請求項５】
前記診断パラメータ組み合わせ選択部は、前記複数の診断パラメータの各組み合わせにおいて、主成分分析により得られた第１主成分と第２主成分の累積寄与率が所定の割合以上の場合に、当該組み合わせを当該異常原因に相関する複数の診断パラメータの前記組み合わせの候補とし、当該候補の中から当該異常原因に相関する複数の診断パラメータの前記組み合わせを選択する、請求項４に記載の設備の異常診断装置。
【請求項６】
前記診断パラメータ組み合わせ選択部は、前記複数の異常原因の各々に対し、当該異常原因に対応する前記異常時の時系列波形データの各診断パラメータの前記値を、主成分分析により得られた変換行列により変換することで、当該異常原因の前記代表評価値を計算する、請求項４または５に記載の設備の異常診断装置。
【請求項７】
前記距離は、マハラノビス距離である、請求項３から６のいずれか一項に記載の設備の異常診断装置。
【請求項８】
前記異常原因特定部は、前記複数の異常原因の各々に対し、前記診断対象の時系列波形データの前記代表評価値を、主成分分析により得られた変換行列により変換することで計算する、請求項３から７のいずれか一項に記載の設備の異常診断装置。
【請求項９】
前記異常原因特定部は、前記複数の異常原因の各々に対し、当該異常原因の前記代表評価値と、前記診断対象の時系列波形データの前記代表評価値との差が、所定の値以下の場合に、当該異常原因を異常の原因として特定する、請求項１から８のいずれか一項に記載の設備の異常診断装置。
【請求項１０】
前記時系列波形データを複数の周波数帯域の前記時系列波形データに分割する、周波数帯域分割部を、更に備え、
前記診断パラメータ計算部は、前記周波数帯域分割部により前記複数の周波数帯域に分割された、前記正常時の時系列波形データ、想定される複数の前記異常原因の各々に相関する複数の前記異常時の時系列波形データ、及び前記診断対象の時系列波形データの各々に対し、前記診断パラメータ群の中の各診断パラメータの値を計算し、
前記診断パラメータ組み合わせ選択部は、前記複数の異常原因の各々に対し、前記複数の周波数帯域と、前記診断パラメータ群の中から、当該異常原因に相関する、周波数帯域と、複数の診断パラメータの組み合わせを選択し、当該周波数帯域における組み合わせられた診断パラメータによる当該異常原因の前記代表評価値を決定し、
前記異常原因特定部は、前記複数の異常原因の各々に対し、当該異常原因に相関する、選択された前記周波数帯域における、選択された前記複数の診断パラメータの前記組み合わせによる前記診断対象の時系列波形データの前記代表評価値を計算し、当該代表評価値を、当該異常原因の前記代表評価値と比較して、前記異常原因を特定する、請求項１から９のいずれか一項に記載の設備の異常診断装置。
【請求項１１】
前記設備は回転機であり、前記センサは振動センサであり、前記時系列波形データは振動波形データである、請求項１から１０のいずれか一項に記載の設備の異常診断装置。
【請求項１２】
設備に設けられたセンサにより取得された時系列波形データを基に、前記設備の異常を診断する、設備の異常診断方法であって、
正常時の時系列波形データ、想定される複数の異常原因の各々に対応する複数の異常時の時系列波形データ、及び診断対象の時系列波形データの各々に対し、診断の指標となる診断パラメータ群の中の各診断パラメータの値を計算し、
前記複数の異常原因の各々に対し、前記診断パラメータの計算結果を基に、当該異常原因に相関する複数の診断パラメータの組み合わせを選択し、当該組み合わせられた診断パラメータによる当該異常原因の代表評価値を決定し、
前記複数の異常原因の各々に対し、当該異常原因に相関する前記複数の診断パラメータの前記組み合わせによる前記診断対象の時系列波形データの代表評価値を計算し、当該代表評価値を、当該異常原因の前記代表評価値と比較して、前記異常原因を特定する、設備の異常診断方法。
【発明の詳細な説明】
【技術分野】
【０００１】
本発明は、設備の異常診断装置及び異常診断方法に関する。
【背景技術】
【０００２】
製造業や社会インフラ等の分野において使用される設備は、長期間継続的に稼働される場合が多い。したがって、定期的な、または常時監視による異常診断が必須である。上記のような設備は容易に停止できない場合が多いため、設備を定期的に停止させて点検するよりも、設備を常時監視下において、稼働中の設備を異常診断することが望まれている。
【０００３】
上記のような、様々な分野で広く使用される設備として、例えば、滑り軸受、転がり軸受、磁気軸受等の回転機が挙げられる。一般に、稼働中の回転機の異常は、音響診断、油分析診断等により診断されることもあるが、特に、振動センサにより収集した振動波形データを処理し、異常の予兆を検出する振動診断が多用されている。特許文献１には、振動診断による回転機械の診断方法が開示されている。
特許文献１の診断方法においては、回転機械の振動情報から算出した複数の有次元振動パラメータから、主成分分析法で状態評価指数を算出し、状態評価指数に基づき回転機械の良否判定を行っている。
【先行技術文献】
【特許文献】
【０００４】
【特許文献１】特開２００８−５８１９１号公報
【発明の概要】
【発明が解決しようとする課題】
【０００５】
特許文献１の方法においては、回転機が正常状態、異常状態のどちらにあるかを判定することは可能であるが、異常状態にあると判定した場合に、異常の原因を判別するのが容易ではない。したがって、回転機の保守員による現場での異常原因調査が必要となる。
また、特許文献１の方法において使用されているパラメータは、回転機の仕様や設置状況、異常の原因等によって、異常に反応し検知する感度が変わることがある。すなわち、特許文献１の方法においては、精度よく異常が診断されないことがある。
稼働中の設備の異常の原因を、精度良く、特定することが望まれている。
【０００６】
本発明が解決しようとする課題は、稼働中の設備の異常の原因を、精度良く特定可能な、設備の異常診断装置及び異常診断方法を提供することである。
【課題を解決するための手段】
【０００７】
本発明は、上記課題を解決するため、以下の手段を採用する。すなわち、本発明は、設備に設けられたセンサにより取得された時系列波形データを基に、前記設備の異常を診断する、設備の異常診断装置であって、正常時の時系列波形データ、想定される複数の異常原因の各々に対応する複数の異常時の時系列波形データ、及び診断対象の時系列波形データの各々に対し、診断の指標となる診断パラメータ群の中の各診断パラメータの値を計算する、診断パラメータ計算部と、前記複数の異常原因の各々に対し、前記診断パラメータ計算部の計算結果を基に、当該異常原因に相関する複数の診断パラメータの組み合わせを選択し、当該組み合わせられた診断パラメータによる当該異常原因の代表評価値を決定する、診断パラメータ組み合わせ選択部と、前記複数の異常原因の各々に対し、当該異常原因に相関する前記複数の診断パラメータの前記組み合わせによる前記診断対象の時系列波形データの代表評価値を計算し、当該代表評価値を、当該異常原因の前記代表評価値と比較して、前記異常原因を特定する、異常原因特定部と、を備えている、設備の異常診断装置を提供する。
【０００８】
また、本発明は、設備に設けられたセンサにより取得された時系列波形データを基に、前記設備の異常を診断する、設備の異常診断方法であって、正常時の時系列波形データ、想定される複数の異常原因の各々に対応する複数の異常時の時系列波形データ、及び診断対象の時系列波形データの各々に対し、診断の指標となる診断パラメータ群の中の各診断パラメータの値を計算し、前記複数の異常原因の各々に対し、前記診断パラメータの計算結果を基に、当該異常原因に相関する複数の診断パラメータの組み合わせを選択し、当該組み合わせられた診断パラメータによる当該異常原因の代表評価値を決定し、前記複数の異常原因の各々に対し、当該異常原因に相関する前記複数の診断パラメータの前記組み合わせによる前記診断対象の時系列波形データの代表評価値を計算し、当該代表評価値を、当該異常原因の前記代表評価値と比較して、前記異常原因を特定する、設備の異常診断方法を提供する。
【発明の効果】
【０００９】
本発明によれば、稼働中の設備の異常の原因を、精度良く特定可能な、設備の異常診断装置及び異常診断方法を提供することができる。
【図面の簡単な説明】
【００１０】
【図１】本発明の実施形態における設備の異常診断装置のブロック図である。
【図２】前記実施形態における設備の異常診断装置の、診断パラメータ組み合わせ選択部の説明図である。
【図３】前記実施形態における設備の異常診断装置の、異常原因特定部の説明図である。
【図４】前記実施形態における設備の異常診断方法の、前準備処理のフローチャートである。
【図５】前記実施形態における設備の異常診断方法の、診断処理のフローチャートである。
【図６】前記実施形態の第１変形例における設備の異常診断装置のブロック図である。
【図７】前記実施形態の第２変形例における設備の異常診断装置のブロック図である。
【図８】前記実施形態の第２変形例に関する実施例のグラフである。
【図９】前記実施形態の第２変形例に関する実施例のグラフである。
【図１０】前記実施形態の第２変形例に関する実施例のグラフである。
【発明を実施するための形態】
【００１１】
以下、本発明の実施形態について図面を参照して詳細に説明する。
本実施形態における回転機の異常診断装置は、設備に設けられたセンサにより取得された時系列波形データを基に、設備の異常を診断するものであり、正常時の時系列波形データ、想定される複数の異常原因の各々に対応する複数の異常時の時系列波形データ、及び診断対象の時系列波形データの各々に対し、診断の指標となる診断パラメータ群の中の各診断パラメータの値を計算する、診断パラメータ計算部と、複数の異常原因の各々に対し、診断パラメータ計算部の計算結果を基に、当該異常原因に相関する複数の診断パラメータの組み合わせを選択し、当該組み合わせられた診断パラメータによる当該異常原因の代表評価値を決定する、診断パラメータ組み合わせ選択部と、複数の異常原因の各々に対し、当該異常原因に相関する複数の診断パラメータの組み合わせによる診断対象の時系列波形データの代表評価値を計算し、当該代表評価値を、当該異常原因の代表評価値と比較して、異常原因を特定する、異常原因特定部と、を備えている。
【００１２】
図１は、設備の異常診断装置のブロック図である。本実施形態においては、設備１は、水処理場に設けられたポンプに使用された、滑り軸受、すなわち回転機１であるが、これに限られない。設備１は、回転機１のものであってもよく、他の用途に使用されていてもよい。また、設備１が回転機１であったとしても、転がり軸受、磁気軸受等、滑り軸受以外のものであっても構わない。
回転機１は、回転軸１ａと、回転軸１ａを回転自在に支持する支持部１ｂを備えている。図１においては、回転軸１ａは紙面水平方向に延在しており、方向Ｒに回転するように示されている。
【００１３】
異常診断装置１０は、回転機（設備）１の異常を診断するものであり、特に、想定される複数の異常原因の中から、異常原因を特定するものである。本実施形態においては、異常原因としては、異常原因Ａ、異常原因Ｂ、及び異常原因Ｃの、３種類を想定する。例えば、これらの異常原因Ａ、Ｂ、Ｃとして、滑り軸受中のオイルに気泡が混入した状態となったオイルウィップ、回転軸１ａが偏心している状態となったアンバランス、回転軸１ａに何らかの部材が接触し回転軸１ａが正常に回転しない状態となった接触異常が考えられる。しかし、これらとは異なる異常原因が想定されてもよいし、より多くの異常原因が想定されても構わない。
【００１４】
異常診断装置１０は、センサ１１と、制御端末１２を備えている。
センサ１１は、設備１すなわち回転機１に設けられて、時系列波形データとなるセンサ値を取得する。本実施形態においては、センサ１１は振動センサ１１である。したがって、時系列波形データは、振動波形データである。すなわち、本実施形態においては、振動センサ（センサ）１１は、回転機１の支持部１ｂに接触して設けられて、稼働中の回転機１の振動状況を所定の時間計測し、振動波形データ（時系列波形データ）となるセンサ値を取得する。
振動センサ１１は、取得したセンサ値を、制御端末１２へ送信する。
【００１５】
制御端末１２は情報処理機器であり、内部に、データ収集部１３、診断パラメータ計算部１４、診断パラメータ組み合わせ生成部１５、診断パラメータ組み合わせ選択部１６、及び異常原因特定部１７を備えている。
【００１６】
以下に説明するように、制御端末１２は、回転機１の診断のための前準備に相当する処理と、実際の回転機１の診断処理とを実行する。前準備処理は、データ収集部１３、診断パラメータ計算部１４、診断パラメータ組み合わせ生成部１５、及び診断パラメータ組み合わせ選択部１６によって実行される。診断処理は、データ収集部１３、診断パラメータ計算部１４、及び異常原因特定部１７によって実行される。
ここではまず、前準備処理に関する各構成要素の機能を説明し、その後に、診断処理に関する各構成要素の機能を説明する。双方に関連するデータ収集部１３及び診断パラメータ計算部１４についても、これら処理の各々で個別に、関連する処理内容を説明する。
【００１７】
データ収集部１３は、振動センサ１１から、回転機１の振動波形データ（時系列波形データ）となるセンサ値を受信する。
データ収集部１３は、受信したセンサ値を、例えば５０ＫＨｚのサンプリング周波数によりデジタルサンプリングし、時系列振動波形データを生成する。
【００１８】
データ収集部１３は、前準備処理においては、正常時の振動波形データ（時系列波形データ）と、想定される複数の、本実施形態においては例えば３個の、異常原因の各々に対応する複数の異常時の振動波形データ（時系列波形データ）を生成する。
データ収集部１３は、回転機１が正常に稼働している際の振動波形データを、正常時の振動波形データとして取得する。
異常時の振動波形データに関しては、回転機１において実際に各異常原因を再現することにより取得するか、または、過去に同様な原因に因る異常が発生した際にデータ収集部１３によって取得された振動波形データがあれば、それを使用するのが望ましい。異常時の振動波形データの取得が難しければ、回転機１の仕様や設置状況に基づいて異常を再現するシミュレーションを機械的に実行し、その結果として取得された振動波形データを、データ収集部１３内に取り込むことで用意しても構わない。
【００１９】
データ収集部１３は、正常時の振動波形データと、複数の異常時の振動波形データを、診断パラメータ計算部１４へ送信する。
【００２０】
診断パラメータ計算部１４は、データ収集部１３から、正常時の振動波形データと、複数の異常時の振動波形データを受信する。
診断パラメータ計算部１４は、受信した各振動波形データを、時間軸において、所定の分割数Ｄ、例えば８等の数に分割する。この分割数Ｄは、振動波形データの長さや、波形の周期の長さによって適切に決定される。
【００２１】
診断パラメータ計算部１４は、分割されて複数となった正常時の振動波形データの各々に対し、診断の指標となる診断パラメータ群の中の各診断パラメータの値を計算する。
また、診断パラメータ計算部１４は、複数の異常原因の各々において、当該異常原因に対応する異常時の振動波形データの、分割されて複数となった各々に対し、同様に各診断パラメータの値を計算する。
既に説明したように、本実施形態においては、３種類の異常原因を想定している。すなわち、正常時の振動波形データが分割されてＤ個となり、かつ、３種類の異常原因に対応する異常時の振動波形データの各々も分割されて、計３×Ｄ個となっているため、各診断パラメータに対し、４×Ｄ回の値の計算が実行される。
【００２２】
本実施形態においては、診断の指標となる診断パラメータ群として、次に説明する、２０種類の診断パラメータを使用している。ここで、診断パラメータを計算する対象となる振動波形データをｘｉ（ｉ＝１〜Ｎ）とし、Ｘａ、σ、ｘａを次のように定義する。ここで、Ｎはデータ総数である。
【００２３】
【数１】
2020008337.tif 000003
【００２４】
第１診断パラメータである変動率ｐ１は、次式のように定義される。変動率は、波形のバラツキを表す特徴パラメータである。
【００２５】
【数Ｐ１】
2020008337.tif 000004
【００２６】
第２診断パラメータである歪度ｐ２は、次式のように定義される。歪度は、波形の非対称性を表す特徴パラメータである。
【００２７】
【数Ｐ２】
2020008337.tif 000005
【００２８】
第３診断パラメータである尖度ｐ３は、次式のように定義される。尖度は、波形確率密度関数の尖りの程度を表す特徴パラメータである。
【００２９】
【数Ｐ３】
2020008337.tif 000006
【００３０】
第４診断パラメータである波高率ｐ４は、次式のように定義される。波高率は、波形の衝撃性を表す特徴パラメータである。次式において、Ｘｍａｘ,ａは、｜ｘｉ｜の上位１０個の値の平均値である。
【００３１】
【数Ｐ４】
2020008337.tif 000007
【００３２】
第５診断パラメータである波形率ｐ５は、次式のように定義される。波形率は、波形の変動性を表す特徴パラメータである。
【００３３】
【数Ｐ５】
2020008337.tif 000008
【００３４】
第６診断パラメータである絶対値の極大値の変動率ｐ６は、次式のように定義される。次式において、ＸＰ,ａは、ピークの平均値であり、σＰは、ピークの標準偏差である。
【００３５】
【数Ｐ６】
2020008337.tif 000009
【００３６】
第７診断パラメータである絶対値の極大値の歪度ｐ７は、次式のように定義される。次式において、ｘＰｉ（ｉ＝１〜Ｍ）は、ピーク値である。
【００３７】
【数Ｐ７】
2020008337.tif 000010
【００３８】
第８診断パラメータである絶対値の極大値の尖度ｐ８は、次式のように定義される。
【００３９】
【数Ｐ８】
2020008337.tif 000011
【００４０】
第９診断パラメータである谷値の変動率ｐ９は、次式のように定義される。谷値は、波形の極小値である。次式において、ＸＬ,ａは、谷値の平均値であり、σＬは、谷値の標準偏差である。
【００４１】
【数Ｐ９】
2020008337.tif 000012
【００４２】
第１０診断パラメータである谷値の歪度ｐ１０は、次式のように定義される。次式において、ｘＬｉ（ｉ＝１〜Ｋ）は、谷値である。
【００４３】
【数Ｐ１０】
2020008337.tif 000013
【００４４】
第１１診断パラメータである谷値の尖度ｐ１１は、次式のように定義される。
【００４５】
【数Ｐ１１】
2020008337.tif 000014
【００４６】
第１２診断パラメータである０値通過頻度と絶対値の極大値の頻度の比ｐ１２は、次式のように定義される。
【００４７】
【数Ｐ１２】
2020008337.tif 000015
【００４８】
第１３診断パラメータである０値通過頻度と谷値の頻度の比ｐ１３は、次式のように定義される。
【００４９】
【数Ｐ１３】
2020008337.tif 000016
【００５０】
第１４診断パラメータである絶対値の極大値の頻度と谷値の頻度の比ｐ１４は、次式のように定義される。
【００５１】
【数Ｐ１４】
2020008337.tif 000017
【００５２】
第１５診断パラメータである波形の平方根の平均値ｐ１５は、次式のように定義される。
【００５３】
【数Ｐ１５】
2020008337.tif 000018
【００５４】
第１６診断パラメータである波形の対数の平均値ｐ１６は、次式のように定義される。
【００５５】
【数Ｐ１６】
2020008337.tif 000019
【００５６】
第１７〜第２０パラメータは、周波数領域のパラメータである。これらは、時系列データである振動波形データをフーリエ変換で周波数スペクトルに変換した後に計算される。すなわち、周波数ｆｉ＝（ｉ＝１〜Ｉ）におけるスペクトル成分をＦ（ｆｉ）としたときに、ｆａ、σｆを次のように定義する。
【００５７】
【数２】
2020008337.tif 000020
【００５８】
このとき、第１７診断パラメータである波形の安定指数ｐ１７は、次式のように定義される。波形の安定指数は、波形の定常度合いを表す特徴パラメータである。
【００５９】
【数Ｐ１７】
2020008337.tif 000021
【００６０】
第１８診断パラメータである周波数領域の変動率ｐ１８は、次式のように定義される。
【００６１】
【数Ｐ１８】
2020008337.tif 000022
【００６２】
第１９診断パラメータである周波数領域の歪度ｐ１９は、次式のように定義される。
【００６３】
【数Ｐ１９】
2020008337.tif 000023
【００６４】
第２０診断パラメータである周波数領域の尖度ｐ２０は、次式のように定義される。
【００６５】
【数Ｐ２０】
2020008337.tif 000024
【００６６】
診断パラメータ計算部１４は、正常時の振動波形データ及び各異常時の振動波形データの、分割されて複数となった各々に対して、上記のような診断パラメータｐ１〜ｐ２０を計算し、各診断パラメータの値を取得する。
診断パラメータ計算部１４は、各振動波形データに関する診断パラメータｐ１〜ｐ２０の計算結果を、診断パラメータ組み合わせ選択部１６へ送信する。
【００６７】
診断パラメータ組み合わせ生成部１５は、既に説明した２０種類の診断パラメータｐ１〜ｐ２０から、診断パラメータｐ１〜ｐ２０の全ての組み合わせを生成する。
診断パラメータ組み合わせ生成部１５は、各組み合わせとして所定の最低数以上の診断パラメータｐ１〜ｐ２０を選択する。本実施形態においては、所定の最低数は、例えば３である。この場合においては、次式のように、組み合わせの総数は１０４８３６５個となる。
【００６８】
【数３】
2020008337.tif 000025
【００６９】
診断パラメータ組み合わせ生成部１５は、生成した診断パラメータｐ１〜ｐ２０の全ての組み合わせを、診断パラメータ組み合わせ選択部１６へ送信する。
【００７０】
診断パラメータ組み合わせ選択部１６は、診断パラメータ計算部１４から、正常時の振動波形データ及び各異常時の振動波形データの、分割されて複数となった各々に関する診断パラメータｐ１〜ｐ２０の計算結果を受信する。また、診断パラメータ組み合わせ選択部１６は、診断パラメータ組み合わせ生成部１５から、診断パラメータｐ１〜ｐ２０の全ての組み合わせを受信する。
診断パラメータ組み合わせ選択部１６は、複数の異常原因の各々に対し、診断パラメータ計算部１４の計算結果を基に、当該異常原因に相関する複数の診断パラメータｐ１〜ｐ２０の組み合わせを１つ選択し、当該組み合わせられた診断パラメータｐ１〜ｐ２０による当該異常原因の代表評価値を決定する。
より詳細には、診断パラメータ組み合わせ選択部１６は、複数の異常原因の各々に対し、診断パラメータｐ１〜ｐ２０の様々な組み合わせの中から、各組み合わせにおける、各診断パラメータｐ１〜ｐ２０の値を基にした複数の正常時の振動波形データの分布と、当該異常原因に対応する異常時の振動波形データの各診断パラメータｐ１〜ｐ２０の値との関係を基に、当該異常原因に相関する診断パラメータｐ１〜ｐ２０の組み合わせを選択する。
【００７１】
まず、診断パラメータ組み合わせ選択部１６は、複数の異常原因から１つの異常原因を選択する。
また、診断パラメータ組み合わせ選択部１６は、診断パラメータ組み合わせ生成部１５から受信した、診断パラメータｐ１〜ｐ２０の組み合わせから、１つの組み合わせを選択する。
診断パラメータ組み合わせ選択部１６は、診断パラメータ計算部１４から受信した、分割されて複数となった正常時の振動波形データの各々に対して、これらに関する診断パラメータｐ１〜ｐ２０の計算結果から、選択された組み合わせに含まれる診断パラメータｐ１〜ｐ２０の各々に対応する値を抽出する。
【００７２】
診断パラメータ組み合わせ選択部１６は、複数の正常時の振動波形データに対して、この各々に対応する、選択された組み合わせに含まれる診断パラメータｐ１〜ｐ２０の値を用いて、主成分分析により、この選択された組み合わせにおける正常時の振動波形データの分布を演算する。
すなわち、診断パラメータ組み合わせ選択部１６は、主成分分析により、正常時の診断パラメータｐ１〜ｐ２０の分布の中心を原点とした座標軸への変換行列Ｈと、その座標軸におけるバラつきの大きさである固有ベクトルλを計算する。
選択された組み合わせに含まれる診断パラメータｐ１〜ｐ２０の数をｋとすると、変換行列Ｈは数式４として、及び固有ベクトルλは数式５として、それぞれ表わされる。
【００７３】
【数４】
2020008337.tif 000026
【００７４】
【数５】
2020008337.tif 000027
【００７５】
診断パラメータ組み合わせ選択部１６は、主成分分析により得られた第１主成分と第２主成分の累積寄与率、すなわち、第１主成分と第２主成分の寄与率の合計を計算する。
上記の数式４においては、１行目すなわち要素ｈ１１〜ｈ１ｋが第１主成分に相当し、２行目すなわち要素ｈ２１〜ｈ２ｋが第２主成分に相当する。また、数式５においては、要素λ１が第１主成分に相当し、要素λ２が第２主成分に相当する。
累積寄与率ＣＲは、次式で表わされる。
【００７６】
【数６】
2020008337.tif 000028
【００７７】
診断パラメータ組み合わせ選択部１６は、累積寄与率ＣＲが所定の割合以上の場合に、選択された診断パラメータｐ１〜ｐ２０の組み合わせが、正常時の振動波形データの情報量を効率的に表現できていると考え、選択された診断パラメータｐ１〜ｐ２０の組み合わせを、選択された異常原因に相関する診断パラメータｐ１〜ｐ２０の組み合わせの候補とする。
本実施形態においては、所定の割合は、例えば８０％である。
診断パラメータ組み合わせ選択部１６は、累積寄与率ＣＲが所定の割合以上でなければ、選択された診断パラメータｐ１〜ｐ２０の組み合わせは候補とするに適切ではないと判断し、複数の診断パラメータｐ１〜ｐ２０の組み合わせから、他の１つの組み合わせを選択し、この他の１つの組み合わせに対して、上記の処理を繰り返す。
【００７８】
診断パラメータ組み合わせ選択部１６は、累積寄与率ＣＲが所定の割合以上の場合には、続いて、この選択された診断パラメータｐ１〜ｐ２０の組み合わせが、選択された異常原因を精度よく評価できるか否かを判断する。
まず、診断パラメータ組み合わせ選択部１６は、診断パラメータ計算部１４から受信した、選択された異常原因に対応する、分割されて複数となった異常時の振動波形データの各々に対して、これらに関する診断パラメータｐ１〜ｐ２０の計算結果から、選択された組み合わせに含まれる診断パラメータｐ１〜ｐ２０の各々に対応する値を抽出する。
診断パラメータ組み合わせ選択部１６は、選択された異常原因に対応する、複数の異常時の振動波形データの各々について、抽出された診断パラメータｐ１〜ｐ２０に対して、主成分分析により得られた変換行列Ｈの第１主成分、第２主成分での変換を行う。診断パラメータ組み合わせ選択部１６は、複数の異常時の振動波形データ間でこれらの平均を計算することで、選択された異常原因の代表評価値となる、選択された異常原因に対応する異常時の振動波形データの第１主成分得点ｓ、第２主成分得点ｔを計算する。
【００７９】
診断パラメータ組み合わせ選択部１６は、異常時の振動波形データの主成分得点ｓ、ｔと、主成分分析により得られた固有ベクトルλを基に、次式によりマハラノビス距離ｄを計算する。
【００８０】
【数７】
2020008337.tif 000029
【００８１】
図２は、複数の正常時の振動波形データの分布と、異常時の振動波形データの主成分得点の関係を表わすグラフである。
本グラフにおいては、横軸ｓに主成分分析における第１主成分、縦軸ｔに第２主成分が記されている。複数の正常時の振動波形データに相当する点は、ＮＰとして示されている。主成分分析は複数の正常時の振動波形データに対して実行されたものであるから、点ＮＰはｓｔ座標系の原点近傍に分布している。本実施形態においては、分割数Ｄは８としているため、点ＮＰの数は８となっている。
これに対し、選択された異常原因に対応する異常時の振動波形データの主成分得点ｓ、ｔは、ｓｔ座標系上に点ＡＰとして示されている。マハラノビス距離ｄは図２中に原点と点ＡＰとの間の距離として示されている。すなわち、マハラノビス距離ｄは、正常時の振動波形データの分布状態と、選択された異常原因に対応する異常時の振動波形データの分布状態との距離である。
【００８２】
診断パラメータ組み合わせ選択部１６は、このマハラノビス距離ｄを診断精度の評価指標として、選択された異常原因の診断において適切な、診断パラメータｐ１〜ｐ２０の組み合わせを選択する。
より詳細には、上記の処理によって計算されたマハラノビス距離ｄが、選択された異常原因に対する、過去に実行された診断パラメータｐ１〜ｐ２０の他の組み合わせに関する処理において計算されたどのマハラノビス距離ｄよりも大きい場合に、現在選択されている診断パラメータｐ１〜ｐ２０の組み合わせを暫定の最良組み合わせとして保存する。診断パラメータ組み合わせ選択部１６は、選択された異常原因に対する、診断パラメータｐ１〜ｐ２０の全ての組み合わせに関する処理が終了した時点において、暫定の最良組み合わせとして保存されているものを、選択された異常原因に相関する診断パラメータｐ１〜ｐ２０の組み合わせとして選択する。
【００８３】
診断パラメータ組み合わせ選択部１６は、上記のように、診断パラメータｐ１〜ｐ２０の全ての組み合わせに対するマハラノビス距離ｄを計算し、マハラノビス距離ｄが最大となる診断パラメータｐ１〜ｐ２０の組み合わせを選択し、選択された異常原因に対応付けて保存する。診断パラメータ組み合わせ選択部１６はまた、この組み合わせにおける異常時の振動波形データの主成分得点ｓ、ｔを、選択された異常原因に対応付けて保存する。
診断パラメータ組み合わせ選択部１６は同時に、この選択された診断パラメータｐ１〜ｐ２０の組み合わせに対応する変換行列Ｈと固有ベクトルλを、選択された異常原因に対応付けて保存する。
診断パラメータ組み合わせ選択部１６は、このような処理を、全ての異常原因に対して実行し、異常原因毎に、マハラノビス距離ｄが最大となる診断パラメータｐ１〜ｐ２０の組み合わせ、異常時の振動波形データの主成分得点ｓ、ｔ、変換行列Ｈ、及び固有ベクトルλを保存する。
【００８４】
このように、診断パラメータ組み合わせ選択部１６は、複数の異常原因の各々に対し、診断パラメータｐ１〜ｐ２０の全ての組み合わせの中の各々において、主成分分析により得られた第１主成分と第２主成分の累積寄与率が所定の割合以上の場合に、当該組み合わせを当該異常原因に相関する診断パラメータｐ１〜ｐ２０の組み合わせの候補とする。
そして、診断パラメータ組み合わせ選択部１６は、複数の異常原因の各々に対し、当該異常原因に対応する異常時の振動波形データの各診断パラメータｐ１〜ｐ２０の値を、主成分分析により得られた変換行列Ｈにより変換することで、当該異常原因の代表評価値を計算する。
更に、診断パラメータ組み合わせ選択部１６は、複数の異常原因の各々に対し、診断パラメータｐ１〜ｐ２０の組み合わせの候補の中で、正常時の診断パラメータｐ１〜ｐ２０の分布の中心と、当該異常原因の代表評価値とのマハラノビス距離ｄが最も大きい候補を、当該異常原因に相関する診断パラメータｐ１〜ｐ２０の組み合わせとして選択する。
【００８５】
このように、診断パラメータ組み合わせ選択部１６は、複数の異常原因の各々に対し、診断パラメータｐ１〜ｐ２０の組み合わせを総当たりで評価し、最も診断精度を高める組合せパターンを選定する。
【００８６】
上記のようにして異常原因毎に生成された、マハラノビス距離ｄが最大となる診断パラメータｐ１〜ｐ２０の組み合わせ、異常時の振動波形データの主成分得点ｓ、ｔ、変換行列Ｈ、及び固有ベクトルλは、異常診断装置１０内に保存されて、後に説明する異常原因特定部１７において、回転機１の診断を実行する際に使用される。
【００８７】
次に、異常診断装置１０の、診断処理に関する各部位の機能を説明する。
【００８８】
前準備処理と同様に、データ収集部１３は、振動センサ（センサ）１１から、回転機（設備）１の振動波形データ（時系列波形データ）となるセンサ値を受信する。
診断処理においては、データ収集部１３は、実際に稼働して異常を診断中の回転機１の振動波形データを、診断対象の振動波形データ（時系列波形データ）として取得する。
データ収集部１３は、診断対象の振動波形データを、診断パラメータ計算部１４へ送信する。
【００８９】
診断パラメータ計算部１４は、データ収集部１３から、診断対象の振動波形データを受信する。診断パラメータ計算部１４は、受信した診断対象の振動波形データを、時間軸において、所定の分割数Ｄ、例えば８等の数に分割する。
診断パラメータ計算部１４は、診断対象の振動波形データの、分割されて複数となった各々に対し、診断パラメータｐ１〜ｐ２０の値を計算する。
診断パラメータ計算部１４は、複数の診断対象の振動波形データに関する診断パラメータｐ１〜ｐ２０の計算結果を、異常原因特定部１７へ送信する。
【００９０】
異常原因特定部１７は、診断パラメータ計算部１４から、複数の診断対象の振動波形データに関する診断パラメータｐ１〜ｐ２０の計算結果を受信する。
また、異常原因特定部１７は、異常診断装置１０内に、各異常原因に対応付けて保存されている、マハラノビス距離ｄが最大となる診断パラメータｐ１〜ｐ２０の組み合わせ、異常時の振動波形データの主成分得点ｓ、ｔ、変換行列Ｈ、及び固有ベクトルλを取得する。
【００９１】
まず、異常原因特定部１７は、複数の異常原因から１つの異常原因を選択する。
異常原因特定部１７は、複数の診断対象の振動波形データの各々について、計算された診断パラメータｐ１〜ｐ２０に対して、選択された異常原因に対応付けられた変換行列Ｈの第１主成分、第２主成分での変換を行う。異常原因特定部１７は、複数の診断対象の振動波形データ間でこれらの平均を計算することで、診断対象の振動波形データの代表評価値となる、診断対象の振動波形データの第１主成分得点ｓｄ、第２主成分得点ｔｄを計算する。この診断対象の振動波形データの主成分得点ｓｄ、ｔｄが、診断時の回転機１の状態となる。
【００９２】
異常原因特定部１７は、診断対象の振動波形データの主成分得点ｓｄ、ｔｄと、選択された異常原因に対応付けられた固有ベクトルλを基に、数式７により診断対象のマハラノビス距離ｄｄを計算する。診断対象のマハラノビス距離ｄｄは、正常時の振動波形データの分布状態と、診断対象の振動波形データの分布状態との距離である。
異常原因特定部１７は、診断対象のマハラノビス距離ｄｄが所定の第１閾値以下の場合に、選択された異常原因に関しては異常とはいえないと判断する。その後、異常原因特定部１７は、複数の異常原因から他の異常原因を選択し、この他の異常原因に対して、上記の処理を繰り返す。
【００９３】
異常原因特定部１７は、診断対象のマハラノビス距離ｄｄが所定の第１閾値を超える場合に、何らかの異常が発生していると判断する。
この場合に、異常原因特定部１７は、発生している異常が、選択された異常原因に起因したものであるか否かを判定する。より詳細には、異常原因特定部１７は、診断対象の振動波形データの主成分得点ｓｄ、ｔｄと、選択された異常原因に対応する異常時の振動波形データの主成分得点ｓ、ｔとの差を算出し、これを用いて判定を行う。主成分得点ｓｄ、ｔｄと、主成分得点ｓ、ｔとの差としては、選択された異常原因に対応付けられた変換行列Ｈにおける第１主成分ｓと第２主成分ｔの座標系にこれらの得点をプロットしたときの、２点のベクトル間の距離を計算する。
【００９４】
異常原因特定部１７は、この差が所定の第２閾値（所定の値）以下の場合に、診断時の状況は選択された異常原因に対応付けられた異常時の状況に近いと判断し、選択された異常原因を異常の原因として特定する。
異常原因特定部１７は、この差が所定の第２閾値を超える場合に、診断時の状況は選択された異常原因に対応付けられた異常時の状況に近くないと判断し、選択された異常原因は異常の原因ではないと判定する。
【００９５】
異常原因特定部１７は、このような処理を、全ての異常原因に対して実行し、異常原因毎に、選択された異常原因が異常の原因であるか否かを判定する。
複数の異常原因に対して、選択された異常原因が異常の原因であると判定された場合においては、異常原因特定部１７は、複数の異常原因の全てを異常の原因として特定する。
全ての異常原因に対して、選択された異常原因が異常の原因ではないと判定された場合においては、異常ではあるが原因が不明であると判定する。
異常原因特定部１７は、これらの判定結果を、図示されない表示装置に表示する。
【００９６】
図３は、異常原因特定部１７の動作を説明する説明図である。既に説明したように、本実施形態においては、３種類の異常原因Ａ、Ｂ、Ｃを想定している。
図３（ａ）は、異常原因Ａに関する主成分分析において計算された第１主成分ｓＡ、第２主成分ｔＡを軸としたグラフであり、このときの正常時の振動波形データに相当する点がＮＰＡとして、及び、異常原因Ａに対応する異常時の振動波形データの主成分得点ｓＡ、ｔＡが点ＡＰＡとして、それぞれ示されている。異常原因Ａは、例えばオイルウィップであり、このときに、主成分分析によって、例えば診断パラメータの組み合わせｐ９、ｐ１４、ｐ１６、ｐ１８が選択される。
図３（ｂ）は、異常原因Ｂに関する主成分分析において計算された第１主成分ｓＢ、第２主成分ｔＢを軸としたグラフであり、このときの正常時の振動波形データに相当する点がＮＰＢとして、及び、異常原因Ｂに対応する異常時の振動波形データの主成分得点ｓＢ、ｔＢが点ＡＰＢとして、それぞれ示されている。異常原因Ｂは、例えばアンバランスであり、このときに、主成分分析によって、例えば診断パラメータの組み合わせｐ１、ｐ３、ｐ５、ｐ６、ｐ１０、ｐ１５、ｐ１６が選択される。
図３（ｃ）は、異常原因Ｃに関する主成分分析において計算された第１主成分ｓＣ、第２主成分ｔＣを軸としたグラフであり、このときの正常時の振動波形データに相当する点がＮＰＣとして、及び、異常原因Ｃに対応する異常時の振動波形データの主成分得点ｓＣ、ｔＣが点ＡＰＣとして、それぞれ示されている。異常原因Ｃは、例えば接触異常であり、このときに、主成分分析によって、例えば診断パラメータの組み合わせｐ１、ｐ３、ｐ６、ｐ７、ｐ９、ｐ１３、ｐ１５、ｐ１７、ｐ１８、ｐ２０が選択される。
【００９７】
上記のような状態において、診断対象の振動波形データが入力された場合を考える。
図３（ａ）には、選択された異常原因が異常原因Ａである場合において、異常原因特定部１７で計算された診断対象の振動波形データの主成分得点ｓｄＡ、ｔｄＡをプロットした点ＤＰＡと、診断対象のマハラノビス距離ｄｄＡが示されている。この場合においては、点ＤＰＡと点ＡＰＡが近いため、主成分得点ｓｄＡ、ｔｄＡと主成分得点ｓＡ、ｔＡとの差が所定の第２閾値以下となり、異常原因Ａが異常の原因として特定される。
図３（ｂ）には、選択された異常原因が異常原因Ｂである場合において、異常原因特定部１７で計算された診断対象の振動波形データの主成分得点ｓｄＢ、ｔｄＢをプロットした点ＤＰＢと、診断対象のマハラノビス距離ｄｄＢが示されている。この場合においては、点ＤＰＢと点ＡＰＢが遠いため、主成分得点ｓｄＢ、ｔｄＢと主成分得点ｓＢ、ｔＢとの差が所定の第２閾値を超える値となり、異常原因Ｂは異常の原因として特定されない。
図３（ｃ）には、選択された異常原因が異常原因Ｃである場合において、異常原因特定部１７で計算された診断対象の振動波形データの主成分得点ｓｄＣ、ｔｄＣをプロットした点ＤＰＣと、診断対象のマハラノビス距離ｄｄＣが示されている。この場合においては、点ＤＰＣと点ＡＰＣが遠いため、主成分得点ｓｄＣ、ｔｄＣと主成分得点ｓＣ、ｔＣとの差が所定の第２閾値を超える値となり、異常原因Ｃは異常の原因として特定されない。
すなわち、異常原因特定部１７は、異常原因特定処理の結果、異常の原因は異常原因Ａすなわちオイルウィップであると、表示装置に表示する。
【００９８】
このように、異常原因特定部１７は、複数の異常原因の各々に対し、当該異常原因に相関する複数の診断パラメータｐ１〜ｐ２０の組み合わせによる診断対象の振動波形データの代表評価値を計算し、当該代表評価値を、当該異常原因の代表評価値と比較して、異常原因を特定する。
より詳細には、異常原因特定部１７は、複数の異常原因の各々に対し、当該異常原因の代表評価値と、診断対象の振動波形データの代表評価値との差が、所定の第２閾値以下の場合に、当該異常原因を異常の原因として特定する。
また、異常原因特定部１７は、複数の異常原因の各々に対し、診断対象の振動波形データの代表評価値を、主成分分析により得られた変換行列Ｈにより変換することで計算する。
【００９９】
次に、図１〜図３、及び図４、図５を用いて、上記の回転機１の異常診断方法を説明する。図４は、回転機１の異常診断方法の、前準備処理のフローチャートであり、図５は、診断処理のフローチャートである。
本異常診断方法は、設備に設けられたセンサにより取得された時系列波形データを基に、設備の異常を診断するものであり、正常時の時系列波形データ、想定される複数の異常原因の各々に対応する複数の異常時の時系列波形データ、及び診断対象の時系列波形データの各々に対し、診断の指標となる診断パラメータ群の中の各診断パラメータの値を計算し、複数の異常原因の各々に対し、診断パラメータの計算結果を基に、当該異常原因に相関する複数の診断パラメータの組み合わせを選択し、当該組み合わせられた診断パラメータによる当該異常原因の代表評価値を決定し、複数の異常原因の各々に対し、当該異常原因に相関する複数の診断パラメータの組み合わせによる診断対象の時系列波形データの代表評価値を計算し、当該代表評価値を、当該異常原因の代表評価値と比較して、異常原因を特定する。
【０１００】
前準備処理においては、処理が開始すると（ステップＳ０）、データ収集部１３は、正常時の振動波形データ（時系列波形データ）と、想定される複数の異常原因の各々に対応する複数の異常時の振動波形データ（時系列波形データ）を生成する（ステップＳ２）。
データ収集部１３は、正常時の振動波形データと、複数の異常時の振動波形データを、診断パラメータ計算部１４へ送信する。
【０１０１】
診断パラメータ計算部１４は、データ収集部１３から、正常時の振動波形データと、複数の異常時の振動波形データを受信する。
診断パラメータ計算部１４は、受信した各振動波形データを、時間軸において、所定の分割数Ｄに分割する。
診断パラメータ計算部１４は、正常時の振動波形データ及び各異常時の振動波形データの、分割されて複数となった各々に対して、診断パラメータｐ１〜ｐ２０を計算し、各診断パラメータの値を取得する（ステップＳ４）。
診断パラメータ計算部１４は、各振動波形データに関する診断パラメータｐ１〜ｐ２０の計算結果を、診断パラメータ組み合わせ選択部１６へ送信する。
【０１０２】
診断パラメータ組み合わせ生成部１５は、診断パラメータｐ１〜ｐ２０から、診断パラメータｐ１〜ｐ２０の全ての組み合わせを生成する（ステップＳ６）。
診断パラメータ組み合わせ生成部１５は、生成した診断パラメータｐ１〜ｐ２０の全ての組み合わせを、診断パラメータ組み合わせ選択部１６へ送信する。
【０１０３】
診断パラメータ組み合わせ選択部１６は、診断パラメータ計算部１４から、正常時の振動波形データ及び各異常時の振動波形データの、分割されて複数となった各々に関する診断パラメータｐ１〜ｐ２０の計算結果を受信する。また、診断パラメータ組み合わせ選択部１６は、診断パラメータ組み合わせ生成部１５から、診断パラメータｐ１〜ｐ２０の全ての組み合わせを受信する。
まず、診断パラメータ組み合わせ選択部１６は、複数の異常原因から１つの異常原因を選択する（ステップＳ８）。
また、診断パラメータ組み合わせ選択部１６は、診断パラメータ組み合わせ生成部１５から受信した、診断パラメータｐ１〜ｐ２０の組み合わせから、１つの組み合わせを選択する（ステップＳ１０）。
【０１０４】
診断パラメータ組み合わせ選択部１６は、診断パラメータ計算部１４から受信した、分割されて複数となった正常時の振動波形データの各々に対して、これらに関する診断パラメータｐ１〜ｐ２０の計算結果から、ステップＳ１０において選択された組み合わせに含まれる診断パラメータｐ１〜ｐ２０の各々に対応する値を抽出する。
診断パラメータ組み合わせ選択部１６は、主成分分析により、正常時の診断パラメータｐ１〜ｐ２０の分布の中心を原点とした座標軸への変換行列Ｈと、その座標軸におけるバラつきの大きさである固有ベクトルλを計算する（ステップＳ１２）。
【０１０５】
診断パラメータ組み合わせ選択部１６は、主成分分析により得られた第１主成分と第２主成分の累積寄与率を計算し、これが所定の割合以上であるか否かを判定する（ステップＳ１４）。
【０１０６】
診断パラメータ組み合わせ選択部１６は、累積寄与率ＣＲが所定の割合以上の場合には（ステップＳ１４のＹｅｓ）、診断パラメータ計算部１４から受信した、ステップＳ８において選択された異常原因に対応する、分割されて複数となった異常時の振動波形データの各々に対して、これらに関する診断パラメータｐ１〜ｐ２０の計算結果から、ステップＳ１０において選択された組み合わせに含まれる診断パラメータｐ１〜ｐ２０の各々に対応する値を抽出する。
診断パラメータ組み合わせ選択部１６は、ステップＳ８において選択された異常原因に対応する、複数の異常時の振動波形データの各々について、抽出された診断パラメータｐ１〜ｐ２０に対して、主成分分析により得られた変換行列Ｈの第１主成分、第２主成分での変換を行う。診断パラメータ組み合わせ選択部１６は、複数の異常時の振動波形データ間でこれらの平均を計算することで、ステップＳ８において選択された異常原因の代表評価値となる、ステップＳ８において選択された異常原因に対応する異常時の振動波形データの第１主成分得点ｓ、第２主成分得点ｔを計算する（ステップＳ１６）。
【０１０７】
診断パラメータ組み合わせ選択部１６は、異常時の振動波形データの主成分得点ｓ、ｔと、主成分分析により得られた固有ベクトルλを基にマハラノビス距離ｄを計算する。
診断パラメータ組み合わせ選択部１６は、マハラノビス距離ｄが、ステップＳ８において選択された異常原因に対する、過去に実行された診断パラメータｐ１〜ｐ２０の他の組み合わせに関する処理において計算されたどのマハラノビス距離ｄよりも大きいか否かを判定する（ステップＳ１８）。
診断パラメータ組み合わせ選択部１６は、計算されたマハラノビス距離ｄが過去の結果よりも大きい場合に（ステップＳ１８のＹｅｓ）、ステップＳ１０において現在選択されている診断パラメータｐ１〜ｐ２０の組み合わせを暫定の最良組み合わせとして保存し（ステップＳ２０）、ステップＳ２２へ遷移する。
診断パラメータ組み合わせ選択部１６は、計算されたマハラノビス距離ｄが過去の結果よりも大きくない場合に（ステップＳ１８のＮｏ）、最良組み合わせを更新せずに、ステップＳ２２へ遷移する。
【０１０８】
診断パラメータ組み合わせ選択部１６は、累積寄与率ＣＲが所定の割合以上でなければ（ステップＳ１４のＮｏ）選択された診断パラメータｐ１〜ｐ２０の組み合わせは候補とするに適切ではないと判断し、ステップＳ２２へ遷移する。
【０１０９】
ステップＳ２２においては、診断パラメータ組み合わせ選択部１６は、ステップＳ８において選択された異常原因に対して、全ての組み合わせが選択されて、これに対するステップＳ１２〜Ｓ２０の処理が実行されたかを判定する。
未実行の組み合わせが残っている場合には（ステップＳ２２のＮｏ）、未実行の組み合わせの中から、他の組み合わせを１つ選択し（ステップＳ１０へ遷移）、この他の組み合わせに対して、上記の処理を繰り返す。
【０１１０】
全ての組み合わせに対するステップＳ１２〜Ｓ２０の処理が実行された場合には（ステップＳ２２のＹｅｓ）、この時点において最良組み合わせとして保存されているものを、ステップＳ８において選択された異常原因に相関する診断パラメータｐ１〜ｐ２０の組み合わせとして設定する（ステップＳ２４）。
【０１１１】
診断パラメータ組み合わせ選択部１６は、全ての異常原因が選択されて、これに対するステップＳ１０〜Ｓ２４の処理が実行されたかを判定する（ステップＳ２６）。
未実行の異常原因が残っている場合には（ステップＳ２６のＮｏ）、未実行の異常原因の中から、他の異常原因を１つ選択し（ステップＳ８へ遷移）、この他の異常原因に対して、上記の処理を繰り返す。
【０１１２】
全ての異常原因に対するステップＳ１０〜Ｓ２４の処理が実行された場合には（ステップＳ２６のＹｅｓ）、処理を終了する（ステップＳ２８）。
【０１１３】
診断処理においては、処理が開始すると（ステップＳ４０）、データ収集部１３は、実際に稼働して異常状態を診断中の回転機１の振動波形データを、診断対象の振動波形データ（時系列波形データ）として取得する（ステップＳ４２）。
データ収集部１３は、診断対象の振動波形データを、診断パラメータ計算部１４へ送信する。
【０１１４】
診断パラメータ計算部１４は、データ収集部１３から、診断対象の振動波形データを受信する。診断パラメータ計算部１４は、受信した診断対象の振動波形データを、時間軸において、所定の分割数Ｄに分割する。
診断パラメータ計算部１４は、診断対象の振動波形データの、分割されて複数となった各々に対し、診断パラメータｐ１〜ｐ２０の値を計算する（ステップＳ４４）。
診断パラメータ計算部１４は、複数の診断対象の振動波形データに関する診断パラメータｐ１〜ｐ２０の計算結果を、異常原因特定部１７へ送信する。
【０１１５】
異常原因特定部１７は、診断パラメータ計算部１４から、複数の診断対象の振動波形データに関する診断パラメータｐ１〜ｐ２０の計算結果を受信する。
また、異常原因特定部１７は、異常診断装置１０内に、各異常原因に対応付けて保存されている、マハラノビス距離ｄが最大となる診断パラメータｐ１〜ｐ２０の組み合わせ、異常時の振動波形データの主成分得点ｓ、ｔ、変換行列Ｈ、及び固有ベクトルλを取得する。
【０１１６】
まず、異常原因特定部１７は、複数の異常原因から１つの異常原因を選択する（ステップＳ４６）。
異常原因特定部１７は、複数の診断対象の振動波形データの各々について、計算された診断パラメータｐ１〜ｐ２０に対して、ステップＳ４６において選択された異常原因に対応付けられた変換行列Ｈの第１主成分、第２主成分での変換を行う。異常原因特定部１７は、複数の診断対象の振動波形データ間でこれらの平均を計算することで、診断対象の振動波形データの代表評価値となる、診断対象の振動波形データの第１主成分得点ｓｄ、第２主成分得点ｔｄを計算する（ステップＳ４８）。
【０１１７】
異常原因特定部１７は、診断対象の振動波形データの主成分得点ｓｄ、ｔｄと、ステップＳ４６において選択された異常原因に対応付けられた固有ベクトルλを基に、数式７により診断対象のマハラノビス距離ｄｄを計算する。
異常原因特定部１７は、診断対象のマハラノビス距離ｄｄと所定の第１閾値を比較することにより異常判定を行う（ステップＳ５０）。
異常原因特定部１７は、診断対象のマハラノビス距離ｄｄが所定の第１閾値以下の場合に（ステップＳ５０のＮｏ）、少なくともステップＳ４６において選択された異常原因に関しては異常とはいえないと判断し、ステップＳ５６へ遷移する。
【０１１８】
異常原因特定部１７は、診断対象のマハラノビス距離ｄｄが所定の第１閾値を超える場合に（ステップＳ５０のＹｅｓ）、何らかの異常が発生していると判断する。
この場合に、異常原因特定部１７は、発生している異常が、ステップＳ４６において選択された異常原因に起因したものであるか否かを判定する（ステップＳ５２）。より詳細には、異常原因特定部１７は、診断対象の振動波形データの主成分得点ｓｄ、ｔｄと、ステップＳ４６において選択された異常原因に対応する異常時の振動波形データの主成分得点ｓ、ｔとの差を算出し、これを用いて判定を行う。
【０１１９】
異常原因特定部１７は、この差が所定の第２閾値（所定の値）以下の場合に、診断時の状況はステップＳ４６において選択された異常原因に対応付けられた異常時の状況に近いと判断し（ステップＳ５２のＹｅｓ）、ステップＳ４６において選択された異常原因を異常の原因として特定する。より詳細には、異常原因リストに、ステップＳ４６において選択された異常原因を追加する（ステップＳ５４）。異常原因特定部１７はこの後、ステップＳ５６へ遷移する。
異常原因特定部１７は、この差が所定の第２閾値を超える場合に、診断時の状況は選択された異常原因に対応付けられた異常時の状況に近くないと判断し（ステップＳ５２のＮｏ）、選択された異常原因は異常の原因ではないと判定して、ステップＳ５６へ遷移する。
【０１２０】
ステップＳ５６においては、診断パラメータ組み合わせ選択部１６は、全ての異常原因が選択されて、これに対するステップＳ４８〜Ｓ５４の処理が実行されたかを判定する。
未実行の異常原因が残っている場合には（ステップＳ５６のＮｏ）、未実行の異常原因の中から、他の異常原因を１つ選択し（ステップＳ４６へ遷移）、この他の異常原因に対して、上記の処理を繰り返す。
【０１２１】
全ての異常原因に対するステップＳ４８〜Ｓ５４の処理が実行された場合には（ステップＳ５６のＹｅｓ）、ステップＳ５４において異常原因リストに異常原因が追加されている場合に、異常原因リストの内容を表示装置に表示し、処理を終了する（ステップＳ５８）。
【０１２２】
次に、上記の回転機の異常診断装置及び異常診断方法の効果について説明する。
【０１２３】
本実施形態の回転機１の異常診断装置１０においては、回転機１に設けられた振動センサ１１により取得された振動波形データを基に、回転機１の異常を診断するものであって、正常時の振動波形データ、想定される複数の異常原因の各々に対応する複数の異常時の振動波形データ、及び診断対象の振動波形データの各々に対し、診断の指標となる診断パラメータ群の中の各診断パラメータｐ１〜ｐ２０の値を計算する、診断パラメータ計算部１４と、複数の異常原因の各々に対し、診断パラメータ計算部１４の計算結果を基に、当該異常原因に相関する複数の診断パラメータｐ１〜ｐ２０の組み合わせを選択し、当該組み合わせられた診断パラメータｐ１〜ｐ２０による当該異常原因の代表評価値ｓ、ｔを決定する、診断パラメータ組み合わせ選択部１６と、複数の異常原因の各々に対し、当該異常原因に相関する複数の診断パラメータｐ１〜ｐ２０の組み合わせによる診断対象の振動波形データの代表評価値ｓｄ、ｔｄを計算し、当該代表評価値ｓｄ、ｔｄを、当該異常原因の代表評価値ｓ、ｔと比較して、異常原因を特定する、異常原因特定部１７と、を備えている。
上記のような構成によれば、診断パラメータ計算部１４は、複数の異常原因の各々に対し、当該異常原因に相関する、すなわち当該異常原因を評価するに適切な、診断パラメータｐ１〜ｐ２０の組み合わせを選択する。また、診断パラメータ計算部１４は、診断時においては、この選択された診断パラメータｐ１〜ｐ２０の組み合わせによって、診断対象の振動波形データの代表評価値ｓｄ、ｔｄと、異常原因の代表評価値ｓ、ｔとを比較して、異常原因を特定する。これらの処理は、回転機１に設けられた振動センサ１１により取得された振動波形データを基に実行される。以上より、稼働中の回転機１を常時監視しつつ、異常が発生した際にはその原因を特定することが可能である。
また、複数の異常原因の各々に対して選択される診断パラメータｐ１〜ｐ２０の組み合わせは、診断パラメータ計算部１４により計算された診断パラメータｐ１〜ｐ２０の値を基に選択されており、この診断パラメータｐ１〜ｐ２０の値は、正常時の振動波形データと、複数の異常原因の各々に対応する複数の異常時の振動波形データに対して計算されている。これらの正常時及び異常時の振動波形データは、例えば実際の回転機１から直接取得することが可能であるので、異常診断装置１０の動作を、取得した正常時及び異常時の振動波形データにあわせて、すなわち当該回転機１に特化して、調整することができる。このため、回転機の仕様や設置状況、異常の原因等による異常診断への影響を低減でき、異常診断精度を向上させることが可能となる。
【０１２４】
また、診断パラメータ計算部１４は、複数の正常時の振動波形データに対し、各診断パラメータｐ１〜ｐ２０の値を計算し、診断パラメータ組み合わせ選択部１６は、複数の異常原因の各々に対し、複数の診断パラメータｐ１〜ｐ２０の様々な組み合わせの中から、各組み合わせにおける、各診断パラメータｐ１〜ｐ２０の値を基にした複数の正常時の振動波形データの分布と、当該異常原因に対応する異常時の振動波形データの各診断パラメータｐ１〜ｐ２０の値との関係を基に、当該異常原因に相関する複数の診断パラメータｐ１〜ｐ２０の組み合わせを選択する。
また、診断パラメータ組み合わせ選択部１６は、複数の異常原因の各々に対し、複数の診断パラメータｐ１〜ｐ２０の組み合わせの中で、分布の中心と、当該異常原因の代表評価値ｓ、ｔとの距離が最も大きい組み合わせを、当該異常原因に相関する複数の診断パラメータｐ１〜ｐ２０の組み合わせとして選択する。
また、診断パラメータ組み合わせ選択部１６は、主成分分析により、複数の診断パラメータｐ１〜ｐ２０の各組み合わせにおける、分布を演算する。
また、診断パラメータ組み合わせ選択部１６は、複数の診断パラメータｐ１〜ｐ２０の各組み合わせにおいて、主成分分析により得られた第１主成分と第２主成分の累積寄与率ＣＲが所定の割合以上の場合に、当該組み合わせを当該異常原因に相関する複数の診断パラメータｐ１〜ｐ２０の組み合わせの候補とし、当該候補の中から当該異常原因に相関する複数の診断パラメータの組み合わせを選択する。
また、診断パラメータ組み合わせ選択部１６は、複数の異常原因の各々に対し、当該異常原因に対応する異常時の振動波形データの各診断パラメータｐ１〜ｐ２０の値を、主成分分析により得られた変換行列Ｈにより変換することで、当該異常原因の代表評価値ｓ、ｔを計算する。
また、距離は、マハラノビス距離ｄである。
また、異常原因特定部１７は、複数の異常原因の各々に対し、診断対象の振動波形データの代表評価値ｓｄ、ｔｄを、主成分分析により得られた変換行列Ｈにより変換することで計算する。
また、異常原因特定部１７は、複数の異常原因の各々に対し、当該異常原因の代表評価値ｓ、ｔと、診断対象の振動波形データの代表評価値ｓｄ、ｔｄとの差が、所定の値以下の場合に、当該異常原因を異常の原因として特定する。
上記のような構成によれば、回転機１の異常診断装置１０を好適に実現することができる。
【０１２５】
［実施形態の第１変形例］
次に、図６を用いて、上記実施形態として示した回転機の異常診断装置及び異常診断方法の第１変形例を説明する。図６は、本第１変形例における回転機の異常診断装置３０のブロック図である。本第１変形例の回転機の異常診断装置３０は、上記実施形態の回転機の異常診断装置１０とは、データ収集部１３より受信した振動波形データを、複数の周波数帯域の振動波形データに分割する周波数帯域分割部３８を備えている点が異なっている。
周波数帯域分割部３８は、本第１変形例においては、データ収集部１３から振動波形データを受信し、受信した振動波形データを、バンドパスフィルタ等により、例えば０〜１ｋＨｚの低周波帯域、例えば１〜１０ｋＨｚの中周波帯域、例えば１０ｋＨｚ以上の高周波帯域の、例えば３つの周波数帯域に分割する。
【０１２６】
前準備処理においては、周波数帯域分割部３８は、正常時の振動波形データと、複数の異常時の振動波形データを受信し、これらの各々を、例えば３つの周波数帯域に分割する。上記実施形態においては、３種類の異常原因を想定していたため、これに正常時の振動波形データを含めると、例えば（１＋３）×３＝１２個の振動波形データを生成する。
周波数帯域分割部３８は、複数の周波数帯域に分割された正常時の振動波形データと、複数の周波数帯域に分割された複数の異常時の振動波形データの各々を、診断パラメータ計算部３４へ送信する。
【０１２７】
診断パラメータ計算部３４は、周波数帯域分割部３８から、周波数帯域ごとに分割された正常時の振動波形データと、周波数帯域ごとに分割された複数の異常時の振動波形データを受信し、受信した各振動波形データを、時間軸において、所定の分割数Ｄに更に分割する。
診断パラメータ計算部３４は、複数の正常時及び異常時の振動波形データの各々に対し、診断の指標となる診断パラメータ群の中の各診断パラメータの値を計算する。
上記実施形態においては、３種類の異常原因を想定している。すなわち、３つの周波数帯域に分割された正常時の振動波形データが更に分割されて３×Ｄ個となり、かつ、３つの周波数帯域に分割された、３種類の異常原因に対応する異常時の振動波形データの各々も更に分割されて、計３×３×Ｄ個となっている。このため、各診断パラメータに対し、１２×Ｄ回の値の計算が実行される。
診断パラメータ計算部３４は、各振動波形データに関する診断パラメータｐ１〜ｐ２０の計算結果を、診断パラメータ組み合わせ選択部３６へ送信する。
【０１２８】
診断パラメータ組み合わせ選択部３６は、診断パラメータ計算部３４から、各振動波形データに関する診断パラメータｐ１〜ｐ２０の計算結果を受信する。また、診断パラメータ組み合わせ選択部３６は、診断パラメータ組み合わせ生成部１５から、診断パラメータｐ１〜ｐ２０の全ての組み合わせを受信する。
本第１変形例においては、各異常原因に相関する異常時の振動波形データは複数の周波数帯域に分割されており、その各々に対して診断パラメータｐ１〜ｐ２０が計算されている。診断パラメータ組み合わせ選択部３６は、各異常原因について、各周波数帯域ごとに、診断パラメータｐ１〜ｐ２０の全ての組み合わせに関して上記実施形態のように主成分分析を実行して、マハラノビス距離ｄが最大となる、診断パラメータｐ１〜ｐ２０の組み合わせと、そのときの周波数帯域を選択、決定する。換言すれば、マハラノビス距離ｄが最大となる診断パラメータｐ１〜ｐ２０の組み合わせが計算された際の周波数帯域は、選択された異常原因が特徴として最も顕現化した、選択された異常原因に相関する、適切な周波数帯域である。
上記のように、診断パラメータ組み合わせ選択部３６は、上記実施形態のように主成分分析を全ての異常原因に対して実行し、異常原因毎に、マハラノビス距離ｄが最大となる診断パラメータｐ１〜ｐ２０の組み合わせ、異常時の振動波形データの主成分得点ｓ、ｔ、変換行列Ｈ、及び固有ベクトルλを保存すると同時に、適切な周波数帯域を保存する。
【０１２９】
診断処理においては、周波数帯域分割部３８は、診断対象の振動波形データを受信し、前準備処理と同様に、複数の周波数帯域に分割する。
周波数帯域分割部３８は、複数の周波数帯域に分割された診断対象の振動波形データを、診断パラメータ計算部３４へ送信する。
【０１３０】
診断パラメータ計算部３４は、周波数帯域分割部３８から、周波数帯域ごとに分割された診断対象の振動波形データを受信し、時間軸において、所定の分割数Ｄに分割する。
診断パラメータ計算部３４は、複数の診断対象の振動波形データの各々に対し、各診断パラメータｐ１〜ｐ２０の値を計算する。
診断パラメータ計算部３４は、複数の診断対象の振動波形データに関する診断パラメータｐ１〜ｐ２０の計算結果を、異常原因特定部３７へ送信する。
【０１３１】
異常原因特定部３７は、診断パラメータ計算部１４から、複数の診断対象の振動波形データに関する診断パラメータｐ１〜ｐ２０の計算結果を受信する。
また、異常原因特定部３７は、異常診断装置３０内に、各異常原因に対応付けて保存されている、マハラノビス距離ｄが最大となる診断パラメータｐ１〜ｐ２０の組み合わせ、適切な周波数帯域、異常時の振動波形データの主成分得点ｓ、ｔ、変換行列Ｈ、及び固有ベクトルλを取得する。
本第１変形例においては、異常原因特定部３７は、異常原因を特定するに際し、各異常原因に対応付けられた適切な周波数帯域に分類される振動波形データに関する診断パラメータｐ１〜ｐ２０の計算結果を使用して、同様に対応付けられた変換行列Ｈを基に診断対象の振動波形データの主成分得点ｓｄ、ｔｄを計算し、主成分得点ｓｄ、ｔｄと、同様に対応付けられた主成分得点ｓ、ｔとの差を算出して、異常原因を特定する。
【０１３２】
このように、本第１変形例においては、振動波形データを複数の周波数帯域の振動波形データに分割する、周波数帯域分割部３８を、更に備え、診断パラメータ計算部３４は、周波数帯域分割部３８により複数の周波数帯域に分割された、正常時の振動波形データ、想定される複数の異常原因の各々に相関する複数の異常時の振動波形データ、及び診断対象の振動波形データの各々に対し、診断パラメータ群の中の各診断パラメータｐ１〜ｐ２０の値を計算し、診断パラメータ組み合わせ選択部３６は、複数の異常原因の各々に対し、複数の周波数帯域と、診断パラメータ群の中から、当該異常原因に相関する、周波数帯域と、複数の診断パラメータｐ１〜ｐ２０の組み合わせを選択し、当該周波数帯域における組み合わせられた診断パラメータｐ１〜ｐ２０による当該異常原因の代表評価値ｓ、ｔを決定し、異常原因特定部３７は、複数の異常原因の各々に対し、当該異常原因に相関する、選択された周波数帯域における、選択された複数の診断パラメータｐ１〜ｐ２０の組み合わせによる診断対象の振動波形データの代表評価値ｓｄ、ｔｄを計算し、当該代表評価値ｓｄ、ｔｄを、当該異常原因の代表評価値ｓ、ｔと比較して、異常原因を特定する。
上記のような構成によれば、例えば各異常原因が振動波形データ中に特徴として現れる周波数帯域が事前に判明している場合等に、診断対象となる周波数帯域を異常原因毎に限定することが可能となる。したがって、より効果的に異常を診断することができる。
また、各異常原因が特徴として表れにくい周波数帯域を診断対象から除外することにより、異常診断の精度を更に向上可能である。
【０１３３】
本第１変形例が、既に説明した実施形態と同様な他の効果を奏することは言うまでもない。
【０１３４】
［実施形態の第２変形例］
次に、図７を用いて、上記第１変形例として示した回転機の異常診断装置及び異常診断方法の更なる変形例である第２変形例を説明する。図７は、本第２変形例における異常診断装置４０のブロック図である。本第２変形例の異常診断装置４０は、上記第１変形例の回転機の異常診断装置３０とは、グラフ生成部４９を備えている点が異なっている。
【０１３５】
上記実施形態及び第１変形例においては、異常原因特定部１７、３７は、各異常原因に対応付けられた変換行列Ｈを基に診断対象の振動波形データの主成分得点ｓｄ、ｔｄを計算し、主成分得点ｓｄ、ｔｄと、同様に対応付けられた主成分得点ｓ、ｔとの差を算出して異常原因を特定する。
グラフ生成部４９は、上記のように異常原因が特定された際に、使用者が任意の異常原因を選択すると、診断対象の振動波形データの主成分得点ｓｄ、ｔｄと、全ての異常原因の主成分得点ｓ、ｔを、使用者が選択した異常原因に対応付けられた変換行列Ｈを適用して、特定された異常原因に対応する主成分分析の第１主成分ｓと第２主成分ｔの座標系へと変換し、グラフを生成して表示する。
【０１３６】
このように、本第２変形例においては、診断対象の振動波形データの代表評価値と、全ての異常原因の代表評価値を、同一座標系上に換算してグラフを生成する、グラフ生成部４９を備えている。
上記のような構成によれば、グラフ生成部４９により生成されたグラフを表示して閲覧することで、診断結果の代表評価値と、全ての異常原因の代表評価値との関係を視認することができる。
【０１３７】
本第２変形例が、既に説明した実施形態及び第１変形例と同様な他の効果を奏することは言うまでもない。
【０１３８】
［実施例］
次に、上記第２変形例における回転機の異常診断装置４０の実施例を説明する。
本実施例においては、８４００ｒｐｍで回転する滑り軸受の異常を診断した。
異常原因としては、上記実施形態と同様に、オイルウィップ、アンバランス、接触異常を想定した。各異常原因に対応する異常時の振動波形データは、正常な回転機に対し、回転軸に重りをつけて軸を偏心させる等の方法で機械的に異常を再現して取得した。
各振動波形データの計測時間は２０秒間とした。データ収集部１３におけるサンプリング周波数は５０ｋＨｚとした。
周波数帯域分割部３８においては、０〜１ｋＨｚ、０．８〜７ｋＨｚ、及び５〜２５ｋＨｚの３つの周波数帯域に分割した。上記第１変形例においては、一定の閾値で複数の周波数帯域に分割していたが、本実施例においては上記のように、隣接する周波数帯域が互いにオーバーラップするように分割した。
【０１３９】
このような状況において、回転機でオイルウィップを再現し、異常診断を実行した。
図８（ａ）は、診断対象の振動波形データの主成分得点ｓｄ、ｔｄと、全ての異常原因の主成分得点ｓ、ｔを、異常状態がオイルウィップの場合における第１主成分ｓと第２主成分ｔの座標系へと変換した場合の、グラフ生成部４９の出力結果である。図８（ｂ）は、図８（ａ）のＥ部分の拡大図である。
図９、１０は、図８（ａ）と同様に、各主成分得点を、それぞれアンバランスと接触異常の場合における第１主成分ｓと第２主成分ｔの座標系へと変換した場合の、グラフ生成部４９の出力結果である。
各グラフにおいて、正常時の振動波形データに関する出力結果近傍は分布６０として示されている。また、オイルウィップ、アンバランス、接触異常の各々の異常時の振動波形データに関する主成分得点については、それぞれ、分布６１、分布６２、分布６３として示されている。診断対象の振動波形データの主成分得点については、分布６４として示されている。
【０１４０】
診断結果をオイルウィップの場合におけるｓｔ座標系へ変換した図８各図においては、分布６４は、分布６２、６３よりも、オイルウィップに対応する分布６１に近接して位置している。このため、異常原因特定部３７により、異常原因がオイルウィップとして正しく診断される。
診断結果をアンバランスの場合におけるｓｔ座標系へ変換した図９においては、分布６４は、アンバランスに対応する分布６２とは遠く位置している。このため、異常原因特定部３７により、異常原因がアンバランスとは特定されない。
同様に、診断結果を接触異常の場合におけるｓｔ座標系へ変換した図１０においては、分布６４は、接触異常に対応する分布６３とは遠く位置している。このため、異常原因特定部３７により、異常原因が接触異常とは特定されない。
【０１４１】
なお、本発明の回転機の異常診断装置及び異常診断方法は、図面を参照して説明した上述の実施形態及び各変形例に限定されるものではなく、その技術的範囲において他の様々な変形例が考えられる。
【０１４２】
例えば、上記実施形態においては、設備は回転機であり、センサは振動センサであり、時系列波形データは振動波形データであったが、これに限られないことは、言うまでもない。
すなわち、上記の異常診断装置及び異常診断方法は、回転機に限らず、様々な種類の設備に応用可能である。
上記実施形態においては、設備が回転機であったため、センサとして、稼働時の特徴を効果的に取得し得る振動センサが使用されていたが、対象となる設備に応じて、電流、電圧、温度等、センサの種類を変えても構わないのは、言うまでもない。上記の異常診断装置及び異常診断方法は、センサの種類に拠らず、設備の状態が計測、収集された時系列波形データを基に、異常を診断することができる。
また、使用されるセンサの数や種類も１つに限られず、複数の数及び種類のセンサにより、設備の状態を計測、収集してもよい。これらの複数のセンサから得られた時系列波形データから診断パラメータを計算することで、様々な種類の設備診断を実現することが可能である。
【０１４３】
また、上記実施形態及び各変形例においては、前準備処理と診断処理は、同一の制御端末１２内に設けられていたが、これに限られない。例えば、前準備処理用の制御端末と診断処理用の制御端末を個別に用意し、実行する処理に応じて使い分けても構わない。すなわち、例えば上記実施形態の場合においては、前準備処理用の制御端末にデータ収集部１３、診断パラメータ計算部１４、診断パラメータ組み合わせ生成部１５、及び診断パラメータ組み合わせ選択部１６を、診断処理用の制御端末にデータ収集部１３、診断パラメータ計算部１４、診断パラメータ組み合わせ生成部１５、及び異常原因特定部１７を設けても構わない。
【０１４４】
また、上記実施形態及び各変形例においては、診断パラメータ組み合わせ選択部１６による診断パラメータｐ１〜ｐ２０の適切な組み合わせの選択は、主成分分析により行われていたが、これに限られない。振動波形データから算出される診断パラメータの分布（正常時、各異常時、診断時）の距離を計算できる手法であれば、これを主成分分析に代えて使用しても構わない。この代替手法の一例として、ＳＶＭ（Ｓｕｐｐｏｒｔ  Ｖｅｃｔｏｒ  Ｍａｃｈｉｎｅ）等の学習モデルを使った手法が挙げられる。
【０１４５】
また、上記第１変形例においては、振動波形データを３つの周波数帯域に分割したが、２つに分割してもよいし、４以上となるようにより細かく分割しても構わない。
また、上記第１変形例においては、振動波形データを、一定の閾値を境界として複数の周波数帯域に分割していた。このように、一定の閾値を使用した場合においては、異常原因の周波数帯域上のピーク、すなわち最も特徴として現れ得る部分が当該閾値近傍に位置した場合に、ピーク近傍で複数の周波数帯域に分割されてしまうため、特徴が効果的に抽出できない可能性がある。したがって、例えば上記実施例において例示したように、隣接する周波数帯域が互いにオーバーラップするように分割し、これを抑制してもよい。
また、各異常原因の特徴が顕現し得る周波数帯域が事前に判明しているようであれば、各振動波形データを閾値により分割せず、例えば各異常原因の特徴が顕現し得る周波数帯域のみを特に抽出するように、バンドパスフィルタを適用してもよい。
【０１４６】
また、上記第１変形例においては、各異常原因に対して、その特徴が最も顕現化した、適切な周波数帯域を選択していた。しかし、広い周波数帯域に特徴が分散して顕現する異常原因が存在する場合には、当該異常原因に対して、１つの限定された周波数帯域のみを選択するのは適切ではない可能性もある。
このような場合においては、当該異常原因を複数の周波数帯域に割り当てることが考えられる。例えば、当該異常原因を、第１周波数帯域における異常原因、第２周波数帯域における異常原因と、２つの異常原因として分けて考え、各異常原因毎に、主成分分析を行い診断パラメータの組み合わせを選択し、診断時には２つの異常原因のいずれかが異常の原因として特定され得るようにすればよい。これにより、広い周波数帯域に特徴が分散して顕現する異常原因に関する異常診断の精度を向上可能である。
【０１４７】
これ以外にも、本発明の主旨を逸脱しない限り、上記実施形態で挙げた構成を取捨選択したり、他の構成に適宜変更したりすることが可能である。
【符号の説明】
【０１４８】
１                回転機（設備）
１０、３０、４０  異常診断装置
１１              振動センサ（センサ）
１３              データ収集部
１４、３４        診断パラメータ計算部
１５              診断パラメータ組み合わせ生成部
１６、３６        診断パラメータ組み合わせ選択部
１７、３７        異常原因特定部
３８              周波数帯域分割部
４９              グラフ生成部
【図１】
2020008337.tif 000030
【図２】
2020008337.tif 000031
【図３】
2020008337.tif 000032
【図４】
2020008337.tif 000033
【図５】
2020008337.tif 000034
【図６】
2020008337.tif 000035
【図７】
2020008337.tif 000036
【図８】
2020008337.tif 000037
【図９】
2020008337.tif 000038
【図１０】
2020008337.tif 000039